【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】
【請求項１】  エレベータおよびエスカレータの電気スイッチキャビネットのコンポーネントユニット（１７，１９）を取付けるためのシャーシ（１１）であって、前記シャーシ（１１）は、
主要支持部材として機能する少なくとも１つの成形部材（１５）を備えており、前記成形部材は、圧縮に対して持続性の復帰力を有するプラスティック材料からなるとともに、第１のタイプのコンポーネントユニット（１７）を型把持方式で受容する受容溝部（２９，３１）を少なくとも１つ備えており、前記シャーシ（１１）は、さらに、
補助的な支持部材として機能するとともに前記成形部材（１５）に固定された少なくとも１つの取付レール（２１）を備えており、前記取付レール（２１）は、その少なくとも所定の部分的長さに亘って、成形部材（１５）の自由スペースにおいてアクセス可能であり、これによって、少なくとも１つの、第２のタイプのコンポーネントユニット（１９）を前記取付レール（２１）に取付けることが可能となっており、前記自由スペース（４２）は、様々な数、形状および寸法の第２のタイプのコンポーネントユニットを選択的に受容し得るものとして設計されていることを特徴とするシャーシ（１１）。
【請求項２】  前記成形部材（１５）は、少なくとも上方が開いていることを特徴とする請求項１記載のシャーシ。
【請求項３】  前記取付レール（２１）が、レール底部（４５）と、前記レール底部の両長手方向側部から立ち上がるレール側壁（４７）と、を備えたほぼＵ字型のレールからなり、各レール側壁の自由端部は、各レール側壁（４７）から外側に延びているとともに相補形固定部材によって第２のタイプのコンポーネントユニット（１９）を取り付けるのに利用可能なレール端部（４９）を備えていることを特徴とする請求項１記載のシャーシ。
【請求項４】  前記取付レール（２１）は、金属からなることを特徴とする請求項３記載のシャーシ。
【請求項５】  前記取付レール（２１）が、前記成形部材（１５）内部で長手方向に摺動可能となるように、前記成形部材（１５）内部に保持されていることを特徴とする請求項４記載のシャーシ。
【請求項６】  前記成形部材（１５）内部における前記取付レール（２１）の長手方向への摺動が、少なくとも１つの長手方向に無制限とされていることを特徴とする請求項５記載のシャーシ。
【請求項７】  前記成形部材（１５）内部における前記取付レール（２１）の長手方向への摺動が、少なくとも１つの長手方向に無制限とされており、スイッチキャビネットハウジング（７７）の側壁（８５）によって、前記取付レール（２１）の反対方向への摺動が制限されていることを特徴とする請求項６記載のシャーシ。
【請求項８】  前記取付レール（２１）の長手方向に沿った少なくとも２つの離間された位置において、レール固定部材（２３）が取外し可能に取り付けられており、各レール固定部材が、ほぼ対応する形状を有する、成形部材（１５）の固定受容孔（５１）に受容されていることを特徴とする請求項１記載のシャーシ。
【請求項９】  前記の２つの固定受容孔（５１）のうちの第１の固定受容孔は、成形部材（１５）を貫通して延びており、それぞれの関連するレール固定部材（２３）の長手方向の自由な摺動を可能とすることを特徴とする請求項８記載のシャーシ。
【請求項１０】  少なくとも１つのだぼ状固定部材（２５）が、成形部材（１５）の表面に配置されていることを特徴とする請求項１記載のシャーシ。
【請求項１１】  少なくとも１つのケーブル受容ダクト（３５）が前記成形部材（１５）に設けられており、前記ケーブルダクト（３５）が、少なくとも１つの歪み解放手段（３７）を備えていることを特徴とする請求項１記載のシャーシ。
【請求項１２】  前記ケーブルダクト（３５）が、少なくとも１つのケーブル歪み解放狭窄部（３７）を備えていることを特徴とする請求項１１記載のシャーシ。
【請求項１３】  前記成形部材（１５）の換気スペースを換気するための少なくとも１つのモータ駆動式ファン（１７）を受容するファン受容溝部（３１）を少なくとも１つ備えており、前記換気スペースには冷却空気流路（６５，６７）が設けられていることを特徴とする請求項１記載のシャーシ。
【請求項１４】  少なくとも１つの冷却空気フィルタ（１０７）を備えていることを特徴とする請求項１３記載のシャーシ。
【請求項１５】  前記冷却空気フィルタの少なくとも１つが、格子状スペーサ（１０５）に隣接して配置されていることを特徴とする請求項１４記載のシャーシ。
【請求項１６】  前記成形部材（１５）が、エンクロージャ（７７）によって包囲されていることを特徴とする請求項１記載のシャーシ。
【請求項１７】  前記エンクロージャ（７７）によって、前記取付レール（２１）の長手方向の摺動が、前記の２つの長手方向のうちの少なくとも１つの方向で制限されていることを特徴とする請求項１６記載のシャーシ。
【請求項１８】  少なくとも１つのシャーシ（１１）を備えたスイッチキャビネットハウジング（７７）と、少なくとも１つの取付レールと、を備えてなる、エレベータおよびエスカレータのための電気スイッチキャビネットであって、
前記シャーシ（１１）は、主要支持部材として機能する少なくとも１つの成形部材（１５）を備えており、前記成形部材は、圧縮に対して持続性の復帰力を有するプラスティック材料からなるとともに、第１のタイプのコンポーネントユニット（１７）を型把持方式で受容する受容溝部（２９，３１）を少なくとも１つ備えており、
前記取付レール（２１）は、補助的な支持部材として機能するとともに前記成形部材（１５）に固定されており、前記取付レール（２１）は、その少なくとも所定の部分的長さに亘って、成形部材（１５）の自由スペースにおいてアクセス可能であり、これによって、少なくとも１つの、第２のタイプのコンポーネントユニット（１９）を前記取付レール（２１）に取付けることが可能となっており、前記自由スペース（４２）は、様々な数、形状および寸法の第２のタイプのコンポーネントユニットを選択的に受容し得るものとして設計されている、ことを特徴とするエレベータおよびエスカレータのための電気スイッチキャビネット。
【請求項１９】  幾つかのシャーシ（１１）が収容されており、前記シャーシが、前記スイッチキャビネット（９５）に別々に収容されかつこれから取り外されるよう構成されたモジュール（１３，７３，７５）の各部分であることを特徴とする請求項１８記載のスイッチキャビネット。
【請求項２０】  少なくとも１つのファンおよび少なくとも１つの冷却空気流路（６５，６７）を備えた換気システムを備えており、前記冷却空気流路は、過度な換気圧力が前記スイッチキャビネット内部に発生し得るように構成されていることを特徴とする請求項１８記載のスイッチキャビネット。
【請求項２１】  前記スイッチキャビネット（９５）の側壁（８３，８５）によって、前記取付レール（２１）の長手方向の摺動が、２つの長手方向のうちの少なくとも１つの方向で制限されていることを特徴とする請求項１８記載のスイッチキャビネット。
【請求項２２】  前記スイッチキャビネットハウジング（７７）および前記少なくとも１つのシャーシ（１１）の寸法が、前記シャーシ（１１）が前記スイッチキャビネットハウジング（７７）内部に圧力ばめ状態で収容されるような大きさであることを特徴とする請求項１８記載のスイッチキャビネット。
【手続補正２】
【補正対象書類名】明細書
【補正対象項目名】００２４
【補正方法】変更
【補正の内容】
【００２４】
本発明のシャーシには、シャーシの内部もしくは外部に配置されたコンポーネントユニットおよび／または装置を電気的に接続するために、電気接続ケーブルを収容する必要がある。本発明の好適な実施例では、このようなケーブルが、成形部材に型成形された１つもしくは複数のケーブルダクトに収容される。シャーシが、様々な電力カテゴリのコンポーネントユニットを様々な数だけ収容する場合は、対応する数および／または直径の電気接続ケーブルを同様に収容しなければならない。従って、シャーシの少なくとも１つのケーブルダクトは、様々な数および／または様々な太さのケーブルを収容し得るものとして設計されていることが好ましい。特に好適な実施例では、少なくとも１つのケーブルダクトが少なくとも１つの歪み解放手段を備えている。歪み解放手段を、各ケーブルダクトの歪み解放狭窄部として構成し、少なくとも１本のケーブルがこれに押し付けられるようにすることが可能である。ケーブルダクトに沿って、複数の歪み解放狭窄部が設けられており、これによって、短いケーブルの場合にはこれが少なくとも１つの歪み解放位置に捕捉され、長いケーブルの場合には歪みが複数の長手方向位置で解放されるようになっている。